(57)【要約】【課題】ポータルサイトとサーチエンジンを備えるプロバイダーに対して、流行動向を創り、流行語とスポンサーのコンテンツや広告を結びつける広告モデルを実現する流行創出型広告システムを提供する。【解決手段】予め選定された流行語候補毎にスポンサーの投票ポイントを管理し、当該投票ポイントから流行語を決定する流行語投票管理手段と、流行語投票管理手段が決定した流行語から予め決められた基準で表示する流行語を選択する流行語取得手段と、流行語取得手段が選択した流行語を流行語のリスト、または流行語を含む文であるハイパーテキストコンテンツとして作成し、ユーザ端末に転送するポータル手段と、ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備える。【選択図】図２
2006293920.tif 000002
【特許請求の範囲】
【請求項１】
予め選定された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする流行創出型広告システム。
【請求項２】
検索条件やコンテンツ中のキーワードのうち出現回数の増加が著しいキーワードを流行語候補とする流行語候補収集手段と、前記流行語候補収集手段で収集された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする流行創出型広告システム。
【請求項３】
スポンサーにより登録された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする流行創出型広告システム。
【請求項４】
請求項１、２または３に記載の流行創出型広告システムにおいて、前記流行語投票管理手段は、流行語候補とその表示期間を開示して、流行語候補、表示期間および投票ポイントを指定して投票することを特徴とする流行創出型広告システム。
【請求項５】
請求項１乃至４のいずれかに記載の流行創出型広告システムにおいて、前記流行語投票管理手段は、流行語候補を分類分けして、流行語候補とその表示期間を開示することを特徴とする流行創出型広告システム。
【請求項６】
請求項５に記載の流行創出型広告システムにおいて、前記流行語候補の分類分けは、不特定多数のユーザのための流行語と特定のユーザ群のための流行語に分類することを特徴とする流行創出型広告システム。
【請求項７】
請求項１乃至６のいずれかに記載の流行創出型広告システムにおいて、入力操作からユーザ関心情報を取得するユーザ関心情報取得手段を備え、前記流行語取得手段は、前記流行語投票管理手段が決定した流行語から、前記ユーザ関心情報取得手段が取得したユーザ関心情報に関連性の高い流行語を選択することを特徴とする流行創出型広告システム。
【請求項８】
請求項１乃至７のいずれかに記載の流行創出型広告システムにおいて、前記ポータル手段は、前記流行語取得手段が選択した流行語を流行語のリスト、または流行語を含む文であるハイパーテキストコンテンツとして作成するときに、流行語とその流行語をクリックした回数も合わせてハイパーテキストコンテンツとして作成し、ユーザ端末に転送することを特徴とする流行創出型広告システム。
【請求項９】
請求項７に記載の流行創出型広告システムにおいて、前記流行語取得手段は、前記ユーザ関心情報に関連性の高い分類の流行語を選択し、前記ポータル手段は、前記流行語取得手段が選択した流行語を流行語のリスト、または流行語を含む文であるハイパーテキストコンテンツとして作成するときに、流行語とその流行語をクリックした回数も合わせてハイパーテキストコンテンツとして作成し、ユーザ端末に転送することを特徴とする流行創出型広告システム。
【請求項１０】
請求項１乃至９のいずれかに記載の流行創出型広告システムにおいて、前記流行語投票管理手段は、流行語候補とそれに対応した補助キーワードを開示し、前記サーチエンジン手段は、前記ポータル手段から転送された流行語のリスト、または流行語を含む文中の流行語をユーザがクリックしたとき、当該流行語をキーワードとした検索要求を受信し、当該流行語と該流行語に対応した補助キーワードを用いたＷｅｂ上のコンテンツの検索結果を要求元へ転送することを特徴とする流行創出型広告システム。
【請求項１１】
請求項１０に記載の流行創出型広告システムにおいて、前記流行語投票管理手段は、流行語候補を開示して、流行語候補に対して、スポンサーが申請した、任意個の補助キーワード（スポンサーキーワードという）とこのスポンサーキーワードへの投票ポイントとを登録管理するとともに、流行語候補に対するスポンサーキーワードへの投票ポイントの合計を流行語候補への投票ポイントとして管理し、前記流行語取得手段は、選択された流行語に対応するスポンサーキーワードから予め決められた基準でスポンサーキーワードを選択し、前記サーチエンジン手段は、前記ポータル手段から転送された流行語のリスト、または流行語を含む文中の流行語をユーザがクリックしたとき、当該流行語をキーワードとした検索要求を受信し、当該流行語と該流行語に対応して選択されたスポンサーキーワードを用いたＷｅｂ上のコンテンツの検索結果を要求元へ転送することを特徴とする流行創出型広告システム。
【請求項１２】
請求項１乃至１１のいずれかに記載の流行創出型広告システムにおいて、スポンサー毎の投票ポイントを集計して、集計した投票ポイントに対応した課金を計算して、スポンサーに請求する課金手段を備えることを特徴とする流行創出型広告システム。
【請求項１３】
請求項１２に記載の流行創出型広告システムにおいて、前記流行語投票管理手段は、流行語候補を開示するときに、流行語候補とポイント単価または投票ポイントを含むリストを開示し、流行語候補毎に随時投票ポイントを集計し、予め決められた基準により投票ポイントが多いほどポイント単価が低くなるようにポイント単価を算出することを特徴とする流行創出型広告システム。
【請求項１４】
請求項１２に記載の流行創出型広告システムにおいて、前記ポータル手段はユーザが流行語毎にクリックした回数をカウントし、前記課金手段は、個々のスポンサーの個々の流行語への投票に対して、[流行語Ａのクリック数]が大きくなる程、[流行語Ａへの投票ポイント]が大きくなる程、課金額が大きくなる関係を有する関数ｆ（[流行語Ａのクリック数],[流行語Ａへの投票ポイント],[ポイント単価])に基づき課金計算を行うことを特徴とする流行創出型広告システム。
【請求項１５】
請求項１４に記載の流行創出型広告システムにおいて、前記ポイント単価は、予め決められた基準によりクリック数が多いほどポイント単価が低くなることを特徴とする流行創出型広告システム。
【請求項１６】
請求項１２に記載の流行創出型広告システムにおいて、前記流行語投票管理手段は流行語候補を開示して、スポンサーが投票した流行語候補毎の投票ポイントと任意の広告コンテンツを登録管理しておき、投票ポイントに応じて広告コンテンツを選択し、前記サーチエンジン手段は、前記流行語投票管理手段が選定した広告コンテンツから予め決められた基準で表示する広告コンテンツを選択し、選択された広告コンテンツを検索結果のコンテンツまたはコンテンツのリストとともにユーザ端末に転送することを特徴とする流行創出型広告システム。
【請求項１７】
請求項１６に記載の流行創出型広告システムにおいて、前記サーチエンジン手段はユーザが広告コンテンツをクリックした回数をカウントし、前記課金手段は、個々のスポンサーの個々の流行語への投票に対して、[流行語Ａへの投票ポイント]が大きくなる程、[スポンサー広告コンテンツａのクリック回数]が大きくなる程課金額が大きくなる関係を有する関数ｆ([流行語Ａへの投票ポイント],[ポイント単価],[スポンサー広告コンテンツａのクリック回数]）に基づき課金計算を行うことを特徴とする流行創出型広告システム。
【請求項１８】
請求項１２に記載の流行創出型広告システムにおいて、前記流行語投票管理手段は、スポンサーが流行語候補毎に任意のスポンサーページを申請・登録するとともに、流行語候補に投票し、投票ポイントに応じてスポンサーページを選択し、前記サーチエンジン手段は、前記流行語投票管理手段が選定したスポンサーページから予め決められた基準で表示するスポンサーページを選択し、選択されたスポンサーページを検索結果のコンテンツまたはコンテンツのリストとともにユーザ端末に転送することを特徴とする流行創出型広告システム。
【請求項１９】
請求項１８に記載の流行創出型広告システムにおいて、前記サーチエンジン手段はユーザがスポンサーページをクリックした回数をカウントし、前記課金手段は、個々のスポンサーの個々の流行語への投票に対して、[流行語Ａへの投票ポイント]が大きくなる程、[スポンサーページａのクリック回数]が大きくなる程課金額が大きくなる関係を有する関数ｆ([流行語Ａへの投票ポイント],[ポイント単価],[スポンサーページａのクリック回数]）に基づき課金計算を行うことを特徴とする流行創出型広告システム。
【請求項２０】
予め選定された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする流行創出型広告方法。
【請求項２１】
検索条件やコンテンツ中のキーワードのうち出現回数の増加が著しいキーワードを流行語候補とする流行語候補収集機能と、前記流行語候補収集機能で収集された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする流行創出型広告方法。
【請求項２２】
スポンサーにより登録された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする流行創出型広告方法。
【請求項２３】
コンピュータに、請求項１乃至１９のいずれかに記載の流行創出型広告システムの機能を実現させるためのプログラム。
【請求項２４】
請求項２３に記載のプログラムを記録したコンピュータ読み取り可能な記録媒体。
【発明の詳細な説明】
【技術分野】
【０００１】
本発明は、流行創出型広告システム、流行創出型広告方法、プログラムおよび記録媒体に関し、具体的には、ポータルサイトとサーチエンジンサービスを提供するプロバイダーに対して、プッシュキーワードによる流行創出型広告モデルに関する。
【背景技術】
【０００２】
（１）プッシュキーワード検索：
ポータルサイトによって提供されるポータルページは、ユーザが関心を持つと思われる多くの情報が網羅されており、膨大なアクセス数のメディアである。このポータルサイトは、ニュース、天気予報や特集記事等の情報、ネットショッピングやオークション等商業サービス、うらないやゲーム等のエンターテイメントコンテンツ、広告や広告記事等のような多くのコンテンツで構成されている。
【０００３】
これらのコンテンツは、ハイパーテキストとしてリンクされており大量のコンテンツから自分の興味のあるもののみを見ることができる。
それらのポータルページの一つに特許文献１等の技術で実現されるプッシュ型検索サービスがあり、ＭＳＮポータルの「気になることば」、ｇｏｏの「注目ワード」等として実用化されている。
【０００４】
上記のポータルページには、流行語（流行しそうなキーワード）がリストされており、この流行語はハイパーテキストのボタンとなっている。ユーザがこの流行語をクリックすると、ユーザの端末は流行語をキーワードとする検索をサーチエンジンに要求する。
ここで、従来のハイパーテキストでは、クリックするときに表示されるのは予めリンク作成時に固定されたものであるのに対し、プッシュ型検索サービスでは、流行語をクリックすることによって表示されるのは、クリックした流行語をキーワードとする検索結果である点が異なっている。
【０００５】
（２）インターネット広告の限界
インターネット広告全体では伸び率が低下してきているが、その中でＧｏｏｇｌｅ ＡｄＷｏｒｄｓ等の広告型検索サービスが大きな伸びを示している。
一方、ポータルサイトには大量の広告が埋まっており、これらの広告がユーザからすべて閲覧されるというわけでなく、拒否される危険性のほうが多い。
したがって、ポータルサイトにおける広告においても、広告型検索サービスのようにインターネットの特質を生かした広告モデルの出現が求められている。
【０００６】
（３）流行と広告のギャップ
インターネットの世界で多くの流行が発生したが、それらはユーザの情報発信・情報伝播によるもので、広告がそれに関与できることは少なかった。むしろ広告されないものがインターネットの世界では口コミ的に流行を形成している。
流行を創ることが広告において非常に効果的であると認識されていたにも関わらず流行と広告の協調の仕組みはなかった。
【特許文献１】特開２０００−２９０６号公報
【発明の開示】
【発明が解決しようとする課題】
【０００７】
本発明は、上述のような実情を考慮してなされたものであって、ポータルサイトとサーチエンジンサービスを提供するプロバイダーに対して、次のような広告モデルを実現する流行創出型広告システム、流行創出型広告方法、プログラムおよび記録媒体を提供することを目的とする。
【０００８】
（１）プッシュキーワード検索により、Ｗｅｂ上で流行しそうな流行語（キーワード）を提示して、流行動向を創り、流行語（キーワード）とスポンサーのコンテンツや広告を結びつける流行創出型広告モデルを実現すること。
（２）複数のスポンサーの投票とユーザのクリックによる、それらの相互作用により流行が創られる流行創出型広告モデルを実現すること。
【課題を解決するための手段】
【０００９】
上記課題を解決するために、請求項１に記載の発明は、予め選定された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする。
【００１０】
請求項２に記載の発明は、検索条件やコンテンツ中のキーワードのうち出現回数の増加が著しいキーワードを流行語候補とする流行語候補収集手段と、前記流行語候補収集手段で収集された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする。
【００１１】
請求項３に記載の発明は、スポンサーにより登録された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする。
【００１２】
請求項４に記載の発明は、請求項１、２または３に記載の流行創出型広告システムにおいて、前記流行語投票管理手段は、流行語候補とその表示期間を開示して、流行語候補、表示期間および投票ポイントを指定して投票することを特徴とする。
【００１３】
請求項５に記載の発明は、請求項１乃至４のいずれかに記載の流行創出型広告システムにおいて、前記流行語投票管理手段は、流行語候補を分類分けして、流行語候補とその表示期間を開示することを特徴とする。
【００１４】
請求項６に記載の発明は、請求項５に記載の流行創出型広告システムにおいて、前記流行語候補の分類分けは、不特定多数のユーザのための流行語と特定のユーザ群のための流行語に分類することを特徴とする。
【００１５】
請求項７に記載の発明は、請求項１乃至６のいずれかに記載の流行創出型広告システムにおいて、入力操作からユーザ関心情報を取得するユーザ関心情報取得手段を備え、前記流行語取得手段は、前記流行語投票管理手段が決定した流行語から、前記ユーザ関心情報取得手段が取得したユーザ関心情報に関連性の高い流行語を選択することを特徴とする。
【００１６】
請求項８に記載の発明は、請求項１乃至７のいずれかに記載の流行創出型広告システムにおいて、前記ポータル手段は、前記流行語取得手段が選択した流行語を流行語のリスト、または流行語を含む文であるハイパーテキストコンテンツとして作成するときに、流行語とその流行語をクリックした回数も合わせてハイパーテキストコンテンツとして作成し、ユーザ端末に転送することを特徴とする。
【００１７】
請求項９に記載の発明は、請求項７に記載の流行創出型広告システムにおいて、前記流行語取得手段は、前記ユーザ関心情報に関連性の高い分類の流行語を選択し、前記ポータル手段は、前記流行語取得手段が選択した流行語を流行語のリスト、または流行語を含む文であるハイパーテキストコンテンツとして作成するときに、流行語とその流行語をクリックした回数も合わせてハイパーテキストコンテンツとして作成し、ユーザ端末に転送することを特徴とする。
【００１８】
請求項１０に記載の発明は、請求項１乃至９のいずれかに記載の流行創出型広告システムにおいて、前記流行語投票管理手段は、流行語候補とそれに対応した補助キーワードを開示し、前記サーチエンジン手段は、前記ポータル手段から転送された流行語のリスト、または流行語を含む文中の流行語をユーザがクリックしたとき、当該流行語をキーワードとした検索要求を受信し、当該流行語と該流行語に対応した補助キーワードを用いたＷｅｂ上のコンテンツの検索結果を要求元へ転送することを特徴とする。
【００１９】
請求項１１に記載の発明は、請求項１０に記載の流行創出型広告システムにおいて、請求項１０に記載の流行創出型広告システムにおいて、前記流行語投票管理手段は、流行語候補を開示して、流行語候補に対して、スポンサーが申請した、任意個の補助キーワード（スポンサーキーワードという）とこのスポンサーキーワードへの投票ポイントとを登録管理するとともに、流行語候補に対するスポンサーキーワードへの投票ポイントの合計を流行語候補への投票ポイントとして管理し、前記流行語取得手段は、選択された流行語に対応するスポンサーキーワードから予め決められた基準でスポンサーキーワードを選択し、前記サーチエンジン手段は、前記ポータル手段から転送された流行語のリスト、または流行語を含む文中の流行語をユーザがクリックしたとき、当該流行語をキーワードとした検索要求を受信し、当該流行語と該流行語に対応して選択されたスポンサーキーワードを用いたＷｅｂ上のコンテンツの検索結果を要求元へ転送することを特徴とする。
【００２０】
請求項１２に記載の発明は、請求項１乃至１１のいずれかに記載の流行創出型広告システムにおいて、スポンサー毎の投票ポイントを集計して、集計した投票ポイントに対応した課金を計算して、スポンサーに請求する課金手段を備えることを特徴とする。
【００２１】
請求項１３に記載の発明は、請求項１２に記載の流行創出型広告システムにおいて、前記流行語投票管理手段は、流行語候補を開示するときに、流行語候補とポイント単価または投票ポイントを含むリストを開示し、流行語候補毎に随時投票ポイントを集計し、予め決められた基準により投票ポイントが多いほどポイント単価が低くなるようにポイント単価を算出することを特徴とする。
【００２２】
請求項１４に記載の発明は、請求項１２に記載の流行創出型広告システムにおいて、前記ポータル手段はユーザが流行語毎にクリックした回数をカウントし、前記課金手段は、個々のスポンサーの個々の流行語への投票に対して、[流行語Ａのクリック数]が大きくなる程、[流行語Ａへの投票ポイント]が大きくなる程、課金額が大きくなる関係を有する関数ｆ（[流行語Ａのクリック数],[流行語Ａへの投票ポイント],[ポイント単価])に基づき課金計算を行うことを特徴とする。
【００２３】
請求項１５に記載の発明は、請求項１４に記載の流行創出型広告システムにおいて、前記ポイント単価は、予め決められた基準によりクリック数が多いほどポイント単価が低くなることを特徴とする。
【００２４】
請求項１６に記載の発明は、請求項１２に記載の流行創出型広告システムにおいて、請求項１２に記載の流行創出型広告システムにおいて、前記流行語投票管理手段は流行語候補を開示して、スポンサーが投票した流行語候補毎の投票ポイントと任意の広告コンテンツを登録管理しておき、投票ポイントに応じて広告コンテンツを選択し、前記サーチエンジン手段は、前記流行語投票管理手段が選定した広告コンテンツから予め決められた基準で表示する広告コンテンツを選択し、選択された広告コンテンツを検索結果のコンテンツまたはコンテンツのリストとともにユーザ端末に転送することを特徴とする。
【００２５】
請求項１７に記載の発明は、請求項１６に記載の流行創出型広告システムにおいて、前記サーチエンジン手段はユーザが広告コンテンツをクリックした回数をカウントし、前記課金手段は、個々のスポンサーの個々の流行語への投票に対して、[流行語Ａへの投票ポイント]が大きくなる程、[スポンサー広告コンテンツａのクリック回数]が大きくなる程課金額が大きくなる関係を有する関数ｆ([流行語Ａへの投票ポイント],[ポイント単価],[スポンサー広告コンテンツａのクリック回数]）に基づき課金計算を行うことを特徴とする。
【００２６】
請求項１８に記載の発明は、請求項１２に記載の流行創出型広告システムにおいて、前記流行語投票管理手段は、スポンサーが流行語候補毎に任意のスポンサーページを申請・登録するとともに、流行語候補に投票し、投票ポイントに応じてスポンサーページを選択し、前記サーチエンジン手段は、前記流行語投票管理手段が選定したスポンサーページから予め決められた基準で表示するスポンサーページを選択し、選択されたスポンサーページを検索結果のコンテンツまたはコンテンツのリストとともにユーザ端末に転送することを特徴とする。
【００２７】
請求項１９に記載の発明は、請求項１８に記載の流行創出型広告システムにおいて、前記サーチエンジン手段はユーザがスポンサーページをクリックした回数をカウントし、前記課金手段は、個々のスポンサーの個々の流行語への投票に対して、[流行語Ａへの投票ポイント]が大きくなる程、[スポンサーページａのクリック回数]が大きくなる程課金額が大きくなる関係を有する関数ｆ([流行語Ａへの投票ポイント],[ポイント単価],[ スポンサーページａのクリック回数]）に基づき課金計算を行うことを特徴とする。
【００２８】
請求項２０に記載の発明は、予め選定された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする。
【００２９】
請求項２１に記載の発明は、検索条件やコンテンツ中のキーワードのうち出現回数の増加が著しいキーワードを流行語候補とする流行語候補収集機能と、前記流行語候補収集機能で収集された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする。
【００３０】
請求項２２に記載の発明は、スポンサーにより登録された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする。
【００３１】
請求項２３に記載の発明は、コンピュータに、請求項１乃至１９のいずれかに記載の流行創出型広告システムの機能を実現させるためのプログラムである。
請求項２４に記載の発明は、請求項２３に記載のプログラムを記録したコンピュータ読み取り可能な記録媒体である。
【発明の効果】
【００３２】
本発明によれば、次のような効果を奏することができる。
（１）プッシュキーワード検索モデルと広告との親和性を高めることができる。
広告型検索サービスは、ユーザの検索という能動的な行為に関連して広告行為をするものであり、公平性やプライバシーからの制限を受けるものである。
一方、プッシュキーワード検索は、スポンサーがユーザの興味範囲に対して「こんなキーワードについて調べて見ませんか？」との提案により、ユーザが受動的に対応するのであって広告との親和性が高い。
【００３３】
（２）プッシュキーワード検索による流行を創出できる。
流行は、ほとんどがビジネスと直接か間接的に結びついている。例えば、直接的にビジネスと結びついているのは無名だった特定ブランド商品の流行で、間接的にビジネスに結びついているのはヒット映画とそのキャラクターグッズやロケ地ツアー、健康ブームとサプリメント、自然食品、ヨガスクール等である。いずれの場合も消費者側（評論家、信奉者を含む）とビジネス側の共鳴が必要である。
【００３４】
本発明によれば、スポンサーのビジネスに結びつく流行語（キーワード）を得票に応じた露出度でユーザに提供することによって、スポンサーは協調して流行語を創出できる。
また、ユーザによるクリックと、特定の流行語（キーワード）関連のＷｅｂコンテンツ作者と、特定の流行語（キーワード）関連のＷｅｂコンテンツへの検索・閲覧のユーザとの相互貢献により、流行への動きを創出できる。
【００３５】
（３）プッシュキーワード検索による流行創出型広告ビジネスモデルを構築できる。
スポンサーの流行語投票権に課金を行うことにより、ビジネスに貢献する流行語を創出することができ、スポンサー協調の場を現出することができる。
また、流行語検索結果におけるスポンサーの広告やビジネスコンテンツの露出権のオークションを行うことにより、流行語を広告やビジネスコンテンツに結び付けてスポンサー競争の場を現出することができる。
【発明を実施するための最良の形態】
【００３６】
以下、図面を参照して本発明の好適な実施形態について詳細に説明する。
まず、本発明で使用する用語について説明する。
【００３７】
（１）流行語候補
流行しそうなキーワードを流行語候補と呼び、スポンサーの投票対象となるキーワードである。どの流行語候補が流行語になるかは自社の広告および自社の製品やサービスの販売に影響があるので、投票は商業的行為であり対価を払う必要がある。投票権者はスポンサーと呼ばれ、任意の流行語候補に対して、任意の投票ポイントを投票することができ、この投票ポイントに対して対価を支払う。
【００３８】
（２）流行語
各スポンサーの投票により流行語候補から選択されたキーワードである。この流行語は、ユーザがポータルサイトにアクセスしたときや検索サービスによって結果が表示されるときに表示されるものであるが、全ての流行語が同時に表示されるのではなく、その都度、流行語候補の中から表示する流行語が予め決められた基準により選択される。
【００３９】
（３）スポンサーキーワード
流行語（キーワード）だけで検索すると不要な検索結果が得られるので、流行語に予め補助キーワードを対応付けておき、ユーザから検索要求があると流行語（キーワード）とそれに対応する補助キーワードとによって検索するようにした。
スポンサーサイトのページが検索結果に含まれるように、この補助キーワードをスポンサーが申請・登録することができる。この補助キーワードのことをスポンサーキーワードという。
しかし、一つの流行語に対していろいろなスポンサーが自分のサイトへ誘導するためのスポンサーキーワードを登録するため、流行語が選択されると、それに対応したスポンサーキーワードがすべて使用されるわけではなく、予め決められた基準により使用するスポンサーキーワードが選択される。
【００４０】
（４）広告コンテンツ
スポンサーが申請・登録する広告コンテンツのことである。流行語が選択されると、それに対応したスポンサーキーワードから、予め決められた基準により使用するスポンサーキーワードが選択、用意される。ユーザが流行語をクリックすると、その検索結果のページに選択、用意された広告コンテンツが表示される。
この広告コンテンツは、バナー広告のような形態であり、それ自体広告としての価値を有するが、それがクリックされた結果スポンサーのサイトのページが閲覧されることにより大きな価値を有する。
【００４１】
＜実施形態１＞
【００４２】
図１は、本実施形態に係る流行創出型広告システムの基本構成を示すブロック図である。同図において、流行創出型広告システムは、ポータルサイト１０、１つ以上のスポンサーサイト２０と１つ以上のユーザサイト３０からなり、各サイトはインターネット等のネットワーク４０によって接続されている。
【００４３】
ポータルサイト１０は、選定した流行語候補をプッシュキーワードによる流行創出型広告を支援するサイトである。
スポンサーサイト２０は、ポータルサイト１０を利用して宣伝広告を行う、複数のスポンサーのサイトからなり、各サイトではポータルサイト１０で管理されている流行語候補の表示および流行語候補に対して投票を行う端末を備えている。
ユーザサイト３０は、ポータルサイト１０に対して、所望の情報を得るため情報検索の要求や結果の表示、およびＷｅｂページ等を表示する端末を備えている。このユーザサイト３０の端末は、ポータルサイト１０へユーザ登録したユーザだけでなく、一時的にアクセスするユーザの端末も含まれる。
【００４４】
図２は、本実施形態に係る流行創出型広告システムにおける各サイトの役割を説明するための図である。
プロバイダーは、流行アナリスト等によって選定した流行語候補を管理するとともに、スポンサーへ開示する（Ａ）。スポンサーは、開示された流行語候補の中から事業に関連した流行語候補に対して投票ポイントを決めて、プロバイダーへ送る（Ｂ）。この際、投票したポイントに応じて課金がなされる（Ｃ）。
【００４５】
プロバイダーは、スポンサーの投票したポイントを登録しておき、この投票ポイントから基準にしたがって流行語を決定する。
ユーザがプロバイダーのポータルサイトへアクセスすると、流行語リストを付加したポータルページを転送する（Ｄ）。ユーザがそのポータルページに表示されている流行語をクリックすると、その流行語をキーワードとした検索要求をポータルサイトへ送る（Ｅ）。
【００４６】
ポータルサイトでは、流行語（キーワード）による検索結果のリストをユーザへ転送する（Ｆ）。この検索結果のリストには、スポンサーの登録した広告コンテンツやスポンサーページのＵＲＬ等が付加されている。
ユーザは、この検索結果のリストの中から広告コンテンツやスポンサーページをクリックすると（Ｇ）、スポンサーサイトから広告コンテンツやスポンサーページを転送する（Ｈ）。
【００４７】
このように、スポンサーが流行語を創出し、この流行語から自社のサイトへユーザを誘導することにより、ビジネスチャンスを拡大することができる。
以下、本実施形態に係る流行創出型広告システムについて詳細に説明する。
【００４８】
図３は、ポータルサイトの機能構成を示すブロック図であり、同図において、ポータルサイト１０は、流行語投票管理手段１１、流行語候補データベース（以下、ＤＢと略す）１２、ポータル手段１３、サーチエンジン手段１４を少なくとも備えている。
【００４９】
まず、流行語投票管理手段１１について説明する。流行語投票管理手段１１は、図４に示すように、流行語候補登録手段１１１、流行語候補開示手段１１２、投票登録手段１１３、投票ポイント集計手段１１４と流行語候補ＤＢ１２からなっている。
【００５０】
ポータルサイトを運営する事業体（以下、プロバイダーと呼ぶ）は、流行アナリスト等によって、アンケートや各種メディアコンテンツの分析を行い、流行しそうな言葉や流行しそうな商品のキーワードを流行語候補として選定する。
プロバイダーは、選定した流行語候補を流行語候補登録手段１１１によって流行語候補ＤＢ１２へ初期登録する。
【００５１】
この流行語候補ＤＢ１２は、図５に示すように、流行語候補テーブル１２１と投票ポイントテーブル１２２からなっており、ハードディスク装置等の記憶装置に格納される。
流行語候補テーブル１２１は、少なくとも、流行語候補を識別する識別子（ＩＤ）、流行語候補を表す文字列、投票ポイントの合計を含んでいる。また、投票ポイントテーブル１２２は、流行語候補ＩＤ、スポンサーの識別子と投票ポイントとを含んでいる。
【００５２】
流行語候補登録手段１１１は、受け取った流行語候補に一意に決まる識別子（ＩＤ）を割り当て、このＩＤと流行語候補の文字列およびこの投票合計をゼロとして流行語候補テーブル１２１へ格納する。また、投票ポイントテーブル１２２は初期状態では何も登録されていない状態である。
【００５３】
次に、プロバイダーは、流行語候補が登録されると、選定された流行語候補のリストを生成しインターネットで開示する。開示は、投票するスポンサーだけに行う方法と全てのユーザに見せる方法がある。後者は流行語選定プロセスをユーザに開示することにより流行創出効果が期待できる。
【００５４】
次に、流行語候補のリストを開示されたスポンサーは、スポンサーサイト２０の端末を使って流行語投票管理手段１１にアクセスする。この際には、インターネットでスポンサーの認証が行われた後に以下の機能が実行される。
流行語投票管理手段１１では、流行語候補開示手段１１２を起動して、流行語候補のリストと投票ポイントを指定するＷｅｂページを生成して、スポンサーサイト２０へ送り返す。
【００５５】
投票の目的は、オークションのようにスポンサー同士の競争でなく、同業種、異業種スポンサーの協調によって流行を創出することにある。
スポンサーは、上記の投票の目的の観点、および、流行語を使って広告宣伝を行うと自社の製品の売れ行きやサービスの販売に影響があるとの観点を考慮して、流行語候補のリストの中から１つ以上を選定する。
【００５６】
スポンサーは、選定された流行語候補に対して、任意の投票ポイントを入力し、投票ボタンをクリックする。投票は商業的行為であるから、投票ポイントに応じた対価を払う必要がある。
また、スポンサーは、投票期間内であれば、宣伝に不要になった流行語候補の投票ポイントを増減することも、投票の取り止めもできる。
【００５７】
スポンサーサイト２０から投票が行われると、ポータルサイト１０では投票登録手段１１３が起動し、送られてきた流行語候補の識別子、送ってきたスポンサーの識別子と投票ポイントとを三つ組みとして投票ポイントテーブル１２２へ登録する。
このとき、投票ポイント数だけが異なる三つ組みについては、既に登録されている三つ組みを置き換えるようにする。また、そのスポンサーの登録した流行語候補について削除要求がある場合には、削除要求のあった流行語候補の識別子とスポンサーの識別子を持った三つ組みを投票ポイントテーブル１２２から削除する。
【００５８】
次に、流行語投票管理手段１１は、投票登録手段１１３の動作が終了すると投票ポイント集計手段１１４を起動して、投票ポイントテーブル１２２に登録された流行語候補ごとの投票ポイントの合計を計算し、流行語候補テーブル１２１を更新する。
この集計した合計投票ポイントの公開時期には二種類があり、一つは投票期間が終了したときにスポンサーに集計を開示する。もう一つは、集計が終了したときにリアルタイムでスポンサーに開示する。
【００５９】
第２の開示時期では、他のスポンサーの投票動向を見ながら投票を行うことができるし投票期間内の投票取消しも可能であるから、流行創出型広告に適している。
プロバイダーは、適宜、集計の結果を得票順に流行語候補とその投票ポイント数とともに開示する。または、投票操作を行うときのＷｅｂページ上に開示される。
このように集計された得点が所定の数（例えば１０位まで）が流行語と選定される。
【００６０】
次に、ポータル手段１３について説明する。図６は、ポータル手段の機能構成を示すブロック図であり、同図において、ポータル手段１３は、ポータルページ転送手段１３１、流行語取得手段１３２と流行語候補ＤＢ１２とを含んで構成されている。
ユーザサイト３０の端末からポータル手段１３に要求があると、ポータル手段１３はポータルページ転送手段１３１を起動する。
ポータルページ転送手段１３１は、流行語取得手段１３２を起動して流行語のリストを得て、流行語のリストまたは流行語を含む文を通常のポータルＷｅｂページに加えたハイパーテキストコンテンツとして作成し、ユーザサイト３０の端末に転送する。
ユーザは、既存のブラウザー等によって転送されたポータルＷｅｂページを表示する。
この流行語のリストは、例えば、図７に示したように表示される。
【００６１】
流行語取得手段１３２は、次のいずれかの方法によって流行語のリストを取得し、呼び出し元へ戻す。
第一の方法は、流行語候補テーブル１２１の投票合計から各流行語候補の得票率を計算し、この得票率に対応した露出度の割合で所定の数（例えば、５件）だけ選択する。
第二の方法は、得票順位に対して、例えば、１位：５０％、２位：２０％、３位：１０％、４位：５％…のように一定の露出度を決めておく。
投票合計の順位が高い流行語候補を所定の数（例えば１０件）だけ選択し、これらの１０件を順位に応じた露出度で例えば５件を選択する。この場合では、投票ポイント数ではなく順位に対応した露出度で表示されることになるのでスポンサー間の競争が強化される。
【００６２】
次に、ポータルＷｅｂページを見たユーザが、表示された流行語あるいは流行語を含む文のいずれかをクリックすると、流行語をキーワードとする検索を要求する。
この検索要求には、次の３つの方法がある。
【００６３】
第一の方法は、直接キーワードをサーチエンジン手段１４に送る方法である。
第二の方法は、リダイレクトと呼ぶ方法で、ポータル手段１３に要求を転送し、ポータル手段１３がサーチエンジン手段１４に流行語をキーワードとする検索を要求する方法であり、ポータル手段１３はユーザがどの流行語をクリックしたかを知ることができる。
【００６４】
図８は、この第二の方法におけるポータル手段１３の機能構成を示すブロック図で、ポータル手段１３は、ポータルページ転送手段１３１、流行語取得手段１３２、サーチエンジン起動手段１３３、サーチ結果転送手段１３４と流行語候補ＤＢ１２とを含んで構成されている。図６と同じ機能については説明を省略する。
【００６５】
ユーザサイト３０の端末から流行語による検索要求を受信するとサーチエンジン起動手段１３３が起動される。予め、流行語候補テーブル１２１には、ユーザのクリック回数を計数する項目を用意しておき、サーチエンジン起動手段１３３が、受信した流行語で流行語候補ＤＢ１２を検索し、ユーザのクリック回数のカウントを更新する。
サーチ結果転送手段１３４は、サーチエンジン手段１４からのサーチ結果を要求元のユーザサイト３０の端末へ転送する。
【００６６】
第三の方法は、ポータル手段１３が定期的に各流行語をキーワードとする検索をサーチエンジン手段１４に要求し、各流行語をキーワードとする検索結果のコンテンツを予め用意しておき、要求があると用意されたコンテンツをユーザサイトの端末に転送する方法である。
【００６７】
図９は、この第三の方法におけるポータル手段１３の機能構成を示すブロック図で、ポータル手段１３は、ポータルページ転送手段１３１、流行語取得手段１３２、流行語検索手段１３５、流行語検索結果ＤＢ１３６、流行語サーチ結果転送手段１３７と流行語候補ＤＢ１２とを含んで構成されている。図６と同じ機能については説明を省略する。
【００６８】
流行語検索手段１３５は、定期的（毎日あるいは毎週）に流行語取得手段１３２から流行語を取得して、取得した流行語をキーワードとしてサーチエンジン手段１４に検索要求を送り、サーチ結果を流行語（キーワード）と関連付けて流行語検索結果ＤＢ１３６へ記憶させる。
ユーザサイト３０の端末から流行語による検索要求を受信すると流行語サーチ結果転送手段１３７が起動される。
流行語サーチ結果転送手段１３７は、受信した流行語で流行語検索結果ＤＢ１３６を検索し、該当する流行語検索結果を要求元のユーザサイト３０の端末へ転送する。
【００６９】
次に、サーチエンジン手段１４は、従来のサーチエンジンと同様の機能であり、ポータル手段１３がユーザに送った流行語をキーワードとして検索し、検索結果を呼び出し元へ転送する。
【００７０】
＜実施形態２＞
【００７１】
上記実施形態１では、流行アナリスト等の人が流行語候補を選択していたが、本実施形態２では、流行語（流行しそうなキーワード）候補を自動的に収集し、この候補と流行アナリストが提案した候補を一緒にして最終的な流行語候補を選定するようにした。
【００７２】
本実施形態２のポータルサイトの構成は実施形態１と同様であるが、流行語投票管理手段１１が異なっている。
本実施形態２の流行語投票管理手段１１は、図１０に示すように、流行語候補登録手段１１１、流行語候補開示手段１１２、投票登録手段１１３、投票ポイント集計手段１１４、流行語候補抽出手段１１５、流行語候補収集手段１１６、キーワード累積ファイル１１７、流行語候補選定手段１１８と流行語候補ＤＢ１２からなっている。図１０において図４と同じものは説明を省略する。
【００７３】
流行語候補の収集方法には、次のような二つの方法がある。
第一の方法は、サーチエンジン手段が検索するキーワードの出現回数の増加率が高いものを収集する方法であり、検索というユーザの積極的行為によるので流行語候補として好ましい。
ユーザサイト３０の端末から検索要求が直接サーチエンジン手段１４に送られた場合には、サーチエンジン手段１４が受信した検索用のキーワードあるいは流行語を流行語候補収集手段１１６へ送信する。
あるいは、ユーザサイト３０の端末から検索要求がリダイレクト方式でポータル手段１３に送られた場合には、ポータル手段１３が受信した検索用のキーワードあるいは流行語を流行語候補収集手段１１６へ送信する。
流行語候補収集手段１１６手段は、渡されたキーワードあるいは流行語に受信した日時情報を付加して、ログ情報としてキーワード累積ファイル１１７へ蓄積する。
【００７４】
また、第二の方法は、インターネット上のコンテンツから出現回数の増加率が高いキーワードを収集する方法であり、これらのコンテンツには流行語候補となるキーワードについて記述されていることが多い。このコンテンツとしては、ユーザの情報発信手段であるフォーラム、掲示板やｂｌｏｇ（日記形式の簡略な個人ホームページ)等から適切なサンプリングで絞り込んで選定する。
【００７５】
流行語候補抽出手段１１５は、一定期間単位(例えば一日単位)で予め選定しておいたコンテンツを読み取って、このコンテンツから形態素解析によりキーワードを抽出し、不要語を除外して残ったキーワードを流行語候補収集手段１１６へ渡す。
【００７６】
流行語候補選定手段１１８は、一定期間単位(例えば一週間、季節、半年、一年単位等)でキーワード累積ファイル１１７へ累積されたキーワードのログ情報を解析して、複数の単位(一日単位、一週間単位、一ヶ月単位)でキーワードごとの出現回数を計数する。
この出現回数の集計は、流行語候補の場合、例えば、特定の商品群が注目されていると、それらは同じ種類の商品であっても、一般的に販売者によって異なる商品名がつけられるので、それらをグルーピングして一つのキーワードとして集計する。また、同意語のキーワードについてもまとめて一つのキーワードとして集計する。
【００７７】
次に、流行語候補の場合、出現回数が多いキーワードであっても流行語とは限らない、例えば、過去に流行語であったものであれば、現在の流行とは関係ない場合がある。
したがって、集計した出現回数の増加率を複数の単位(一日単位、一週間単位、一ヶ月単位)で比較し、それぞれの単位で出現回数増加率の高い順に順位付けを行う。
流行語候補選定手段１１８は、最後に、フィルターをかけて流行語として不適切なキーワードを除外して選定された流行語候補を、流行語候補登録手段１１１と同様にして、流行語候補ＤＢ１２へ格納し、キーワード累積ファイル１１７の内容を削除する。
この後、流行語候補ＤＢ１２に格納された候補を流行アナリストによって評価する作業がある。
【００７８】
＜実施形態３＞
【００７９】
上記の実施形態１および実施形態２ともに、ユーザや流行アナリストによって流行語候補が決められ、その中からスポンサーが選定したものであって、スポンサーの積極的な意志が反映されたものではなかった。
本実施形態３では、流行語候補を投票権者であるスポンサーが提案(自薦)して、任意の提案ポイントを付加して登録する。スポンサーから提案された流行語候補の数が開示する数よりも多い時には自薦した提案ポイントの多い順に選択される。
【００８０】
本実施形態３によれば、スポンサーは自社の広告に合った流行語候補の出現を待つ必要がなく、自社の都合の良いタイミングで流行語候補を登録できる。本実施形態３が他の広告手段と異なる点は、流行語候補の提案により、同業種、異業種に協調を呼びかけ、流行創出ができることである。
【００８１】
本実施形態３のポータルサイトの構成は実施形態１と同様であるが、流行語投票管理手段１１が異なっている。
本実施形態３の流行語投票管理手段１１は、図１１に示すように、流行語候補登録手段１１１、流行語候補開示手段１１２、投票登録手段１１３、投票ポイント集計手段１１４と流行語候補ＤＢ１２からなっている。図１１において図４と相違する点についてのみ説明する。
【００８２】
スポンサーサイト２０の端末でポータルサイト１０へ流行語候補の登録要求を送ると、流行語候補登録手段１１１が起動される。
流行語候補登録手段１１１は、流行語候補開示手段１１２により得られた現在登録されている流行語候補のリストと新規流行語候補とその提案ポイントを入力できるフィールドを持つ流行語候補登録Ｗｅｂページを生成して、要求元のスポンサーへ返信する。ここで上記のフィールドは複数あってもかまわない。
【００８３】
スポンサーは、既存のブラウザー等によって返信された流行語候補登録Ｗｅｂページを表示し、表示された流行語候補のリストに提案すべき流行語候補がないことを確かめた後、提案すべき流行語候補とその提案ポイントを１組以上入力して登録実行する。
スポンサーの登録実行を投票登録手段１１３が受信し、受け取った流行語候補に一意に決まる識別子（ＩＤ）を割り当て、このＩＤと流行語候補の文字列およびこの投票合計をゼロとし、さらに、提案したスポンサーの識別子（ＩＤ）と提案ポイントを流行語候補テーブル１２１へ格納する。
ここで、流行語候補テーブル１２１は、図１２に示すように、図５のデータ項目にスポンサーＩＤと提案ポイントが追加されている。
【００８４】
＜実施形態４＞
【００８５】
上述の実施形態では、流行語候補への投票はプロバイダーの設定した期間で行っていた。しかし、スポンサーにとってどの流行語候補がいつごろ流行語になるかは自社の広告戦略やサービスの販売戦略に影響があるので、ある期間に集中して投資を行いたいという要望がある。
これに基づいて、本実施形態４では、流行語候補への投票を、流行語の投票期間を分割し、その投票期間の中の期日と投票ポイントを指定して投票を行い、この指定した投票ポイントに対して課金するようにした。
【００８６】
本実施形態４の構成は、上記実施形態１〜３と同様であるが、ポータルサイトの流行語投票管理手段１１の機能のみが相違している。以下、相違点のみ説明する。
スポンサーが流行語候補への投票をするときに、スポンサーの流行語候補の表示要求をポータルサイト１０で受信すると流行語候補開示手段１１２を起動する。
【００８７】
流行語候補開示手段１１２は、流行語候補のリストをスポンサーに開示するときに、例えば、図１３に示したような流行語候補と投票期間のマトリックスのテーブル形式のＷｅｂページを生成して、スポンサーサイト２０へ送り返す。
図１３では、縦軸に流行語候補をリストし、横方向に一日単位で投票期間を表している。各流行語候補の一日は、スポンサーの投票した投票ポイントと、他のスポンサーも含めた投票ポイントの合計とに分かれている。また、投票期間全体のスポンサー自身の合計投票ポイントが各流行語候補ごとに右端に表示されている。
この一日ごとのスポンサーの投票ポイントの表示欄は、表示でもあり、修正欄ともなっている。
【００８８】
例えば、流行語候補「ＭＰ３」の１０月２日の投票ポイントは、スポンサーＡが１０ポイントで、スポンサー全体では３０ポイントを投票していることがわかる。また、流行語候補「ＭＰ３」の投票期間全体における合計投票ポイント数は５０ポイントであることがわかる。
【００８９】
スポンサーサイト２０から投票が行われると、ポータルサイト１０では投票登録手段１１３が起動し、送られてきた流行語候補の識別子、投票した期日、スポンサーの識別子と投票ポイントとを四つ組みとして投票ポイントテーブル１２２へ登録する。
【００９０】
上記の実施形態４では、各流行語候補はすべて不特定多数のユーザあるいはスポンサーを対象としてきた。
しかし、流行語が分類されていない状態では、多くのスポンサーに恒常的に関係のある流行語候補がいつも選択されてしまう傾向となる。したがって、流行語を分類し、スポンサーは分類別に表示された流行語候補に投票をすることにした。
これにより、上記のような傾向を避けることができ、スポンサーは自社の広告戦略やサービスの販売戦略に合った分類の流行語候補に集中して投資を行うことができる。
【００９１】
流行語を次の二つの方法で分類する。
第一の分類では、不特定多数のユーザのための流行語と特定のユーザ群のための流行語に分類する。第二の分類では、後者の流行語をさらにユーザ群ごとに分類するものとする。第一の分類の例としては時候依存型の「旬流行語」、普遍的な「一般流行語」、特定のユーザ群のための「ニッチ流行語」がある。「ニッチ流行語」については、多くの分類があるが、例えば「アニメ」がある。
【００９２】
この変形例では、流行アナリスト等が流行語候補を選定するときに、上記のようなカテゴリー別に流行しそうな言葉や流行しそうな商品のキーワードを選定したものを、流行語候補テーブル１２１へ格納しておく。この場合、流行語候補テーブル１２１に格納するデータ項目は、少なくとも、流行語候補を識別する識別子（ＩＤ）、流行語候補を表す文字列、カテゴリーおよび投票ポイントの合計を含んでいる。
【００９３】
次に、流行語候補開示手段１１２で、流行語候補のリストを開示するときには、図１４に示すように、図１３に示した各流行語候補がカテゴリーに分けられて開示するようになっている。
図１４によると、流行語のカテゴリーを「旬」、「一般」、「ニッチ」とし、さらに「ニッチ」を特定の分類である「アニメ」としている。これらのカテゴリーに属する流行語候補を順に表示している。
【００９４】
＜実施形態５＞
【００９５】
上述した実施形態では、ユーザがポータル手段１３へアクセスしたときに表示される流行語は、ユーザの好みとは関係なく標準的に用意されたものであった。
本実施形態５では、ユーザがポータル手段１３へアクセスしたときに、ユーザの興味に基づいたパーソナライズされた流行語を表示するようにした。
【００９６】
本実施形態５の構成は、図１５に示すように、流行語投票管理手段１１、流行語候補ＤＢ１２、ポータル手段１３、サーチエンジン手段１４、ユーザ関心情報取得手段１５、ユーザ関心情報ＤＢ１６とからなり、上記実施形態１〜４と同じところは省略し、相違点のみ説明する。
【００９７】
まず、ユーザ関心情報取得手段１５とユーザ関心情報ＤＢ１６について説明する。
ユーザの関心情報を取得する方法には次のような三種類がある。
第一の取得方法は、ユーザ自身が登録する方法である。
この場合、ユーザは、ポータル手段を提供しているプロバイダーからなんらかの情報サービスを受けるために、自分の氏名、性別・年齢・職業、趣味等の情報をユーザメタデータとして登録することがある。この時に、ユーザ特定に役立つ情報、例えば、ＩＰアドレス、趣味等をユーザ関心情報ＤＢ１６へ登録しておく。
【００９８】
第二の取得方法は、ユーザの入力操作からユーザ関心情報を取得する方法である。
ユーザが検索のためのキーワード入力や、ポータル手段１３へのコンテンツ転送要求（閲覧中に行ったクリック等）の入力操作からユーザ関心情報を取得し、ユーザ関心情報としてユーザ関心情報ＤＢ１６へ登録する。
【００９９】
第三の取得方法は、予めユーザを特定しない方法である。ユーザがポータル手段１３の閲覧を始めてから閲覧を止めるまでの間だけ同一ユーザであることを確認し、流行語をクリックするまでのユーザのコンテンツ転送要求（ボタンクリック等の操作）からユーザ関心情報を取得してユーザ関心情報ＤＢ１６へ登録する。
【０１００】
ポータル手段１３は、ユーザが最初の転送要求を行ってから複数のコンテンツを閲覧している間、ユーザがボタンをクリックする度に転送されてくるユーザのＩＰアドレスとユーザリクエストのＵＲＬを記憶装置へ記録する。しかし、ユーザからのリクエストが一定時間途絶えるとこのＩＰアドレスの記録を消去可とする。
【０１０１】
予めポータル手段１３に保持している各コンテンツを特徴付けるキーワード（複数でもよい）とこのコンテンツのＵＲＬとを対応付けたコンテンツキーワードテーブルを用意しておく。このキーワードは、ユーザの関心事を示すようなキーワードとする。
また、このコンテンツキーワードテーブルの代わりに、コンテンツの転送要求時にクリックされるボタンの単語等で代用するようにしてもよい。
【０１０２】
ユーザがポータル手段１３のコンテンツを要求（ボタンクリック等の操作）する度に、コンテンツキーワードテーブルを参照して、そのコンテンツのＵＲＬに対するキーワードを取り出して、クリックしたユーザと対応付けてユーザ関心情報ＤＢ１６に記録する。
【０１０３】
次に、このようにして作成されたユーザ関心情報を基に、ユーザがポータル手段１３へアクセスしたときに、ユーザの興味に基づいたパーソナライズされた流行語を表示するようにした。ポータル手段１３における本実施形態５と上述の実施形態１〜４との違いは、流行語取得手段１３２により得る流行語リストと、ポータルページ転送手段１３１で得た流行語リストの表示にある。
【０１０４】
パーソナライズされた流行語を表示する方法は二種類ある。
第一の表示方法は、表示する流行語を全てユーザ関心情報に基づいて選択する方法で、上記の第一の取得方法のようなユーザ関心情報が固定される方法との組み合わせに適している。
【０１０５】
また、第二の表示方法は、共通流行語表示エリアとパーソナライズド流行語表示エリアを設ける方法であり、ユーザ関心情報の取得に従ってパーソナライズド流行語表示を行うものである。これは、上記の第三の取得方法のようなユーザ関心情報が変動（追加）される方法との組み合わせに適している。
例えば、図１６に示すように、流行語を「標準的な流行語」のリストと、ユーザに関心があると思われる「パーソナライズド流行語」のリストとを表示する。
【０１０６】
上記のようなパーソナライズドの流行語のリストを得るために、流行語取得手段１３２は、次のように処理する。
まず、予め、単語（キーワード）を分類し、このキーワードとその分類に該当する分類コードとを対応付けた単語分類表を記憶装置上に作成しておく。さらに、単語分類表を参照して、先に求めた流行語がどのキーワードに該当するかを検索し、該当するキーワードに対応する単語分類表の分類コードを取得する。
また、単語分類表を参照して、ユーザ関心情報ＤＢ１６に記録してあるキーワードに対応する分類コードを取得する。
そして、ユーザ関心情報に対応する分類コードと同じ流行語の分類コードの流行語を選択しパーソナライズド流行語とし、このパーソナライズド流行語の中から投票率に応じた露出度で表示する流行語を選択する。
【０１０７】
ポータルページ転送手段１３１は、ポータル手段１３の生成するコンテンツを、パーソナライズド流行語のリスト、またはパーソナライズド流行語を含む文をパーソナライズド流行語表示エリアに記述したハイパーテキストコンテンツとして作成し、ユーザサイト３０の端末に転送する。
このように、ユーザはポータルサイト１０へアクセスを繰り返すたびに、ユーザの関心事が解析され、その都度新しいパーソナライズド流行語が更新されて表示される。
【０１０８】
＜実施形態６＞
【０１０９】
インターネットにおける流行は、ユーザの口コミ効果に負うところが大きい。このため、ユーザの反応が他のユーザに伝わる仕組みとして、ユーザが流行語をクリックした数を流行語と一緒に表示するのは有効である。また、クリック数の多い流行語の露出度を高くしたり、表示順位を上げるようにすることも有効と思われる。
【０１１０】
本実施形態６では、上述の実施形態１〜５において流行語リストを表示すときに、ユーザによるクリック数を流行語近傍に表示するようにした。
このために、ポータル手段１３のポータルページ転送手段１３１では、ポータルサイトのＷｅｂページを生成するときに、ユーザが流行語をクリックした回数を表示するカウンターを流行語に埋め込んで、このＷｅｂページをユーザへ転送する。
【０１１１】
ユーザが流行語をクリックするとポータル手段１３にどの流行語をクリックしたかが送られてくる。ポータル手段１３では、流行語を検索する前に、流行語候補テーブル１２１の該当する流行語のクリックカウントを累算して更新する。この際の流行語候補テーブル１２１は、流行語候補ごとにクリックカウントを格納するデータ項目を備えておく。
【０１１２】
そして、次回、ユーザがポータル手段１３をアクセスしてきたときには、ポータルページ転送手段１３１は、図１７に示したように、流行語に隣接してそのクリックカウントの数を表示する。
このときに、上述したように、クリック数の多い流行語の露出度を高くすることや表示順位を変えることも可能であるが、それを行うとスポンサーが大量のクリックを行う可能性があり、それは有料である流行語候補への投票の商業的価値を低下させることも考えられる。
【０１１３】
さらに、流行語がカテゴリー分けされており、ユーザの関心情報を取得するようにしておけば、図１８に示すようにユーザの関心に応じた適切な流行語を表示できる。
流行語が分類されていない状態では、意外性のある流行語が表示されることは少なく、ユーザの関心は低下していくことになる。しかし、分類されていれば、例えば、「旬流行語」では投票ポイントが少なくても季節やその時期のイベントに関する流行語が表示され、「ニッチ流行語」では特定のユーザにとっては関心の高い流行語が表示されることになる。
【０１１４】
＜実施形態７＞
【０１１５】
流行語をキーワードとして検索した場合、即ち一つのキーワードで検索した場合には、多くの不要な情報が検索されてしまうことが多い。
本実施形態７では、これを防ぐために、ポータルサイトの評価者により適切な補助キーワードを選定して流行語と関連付けておき、ユーザから流行語による検索が要求されたときには、流行語とその流行語と関連付けられた補助キーワードとを合わせて検索させるようにする。
【０１１６】
本実施形態７の構成は、上述の実施形態１〜６の構成と同じであるが、流行語投票管理手段、ポータル手段とサーチエンジン手段の機能に異なるところがあるので、相違点についてのみ説明する。
【０１１７】
まず、流行語候補の選定が終了した後、プロバイダーの評価者により適切な補助キーワードが選定される。
流行語投票管理手段１１では、流行語候補登録手段１１１により、流行語候補とこれに対応する補助キーワード（複数可）とを流行語候補ＤＢ１２へ登録する。
ここで、流行語候補ＤＢ１２には、流行語候補と補助キーワードとを対応させて記憶する補助キーワードテーブル１２３を設ける。この補助キーワードテーブル１２３には、流行語候補の識別子（ＩＤ）と補助キーワードとの二つ組みを格納する。一つの流行語候補について複数の補助キーワードが存在するときには、同じ流行語候補に対して異なる補助キーワードとの二つ組みを、異なる補助キーワードの数だけ格納するようにする（図１９参照）。
【０１１８】
次に、スポンサーから流行語候補の開示要求がなされたときに、流行語候補開示手段１１２では、選定された流行語候補と補助キーワードとを開示する。
上述した流行語のみ開示するのでは、スポンサーが自社のコンテンツが表示されるかどうかの見極めがつかないので、選定された流行語候補と補助キーワードのリストを生成しインターネットで開示する方がよい。スポンサーはこのリストを見ることにより、検索結果として自社コンテンツが表示される確率を予測できるのでその流行語候補の自社にとつての広告価値を評価できる。
【０１１９】
＜実施形態８＞
【０１２０】
実施形態７では、流行語に対する補助キーワードは絞込み検索、即ちノイズを除去する目的で、プロバイダーが提供していた。ここでは、スポンサーの協調の場として流行を創出させていた。
本実施形態８では、スポンサーの広告コンテンツが用意され、この広告がユーザの検索結果リストの上位になるようにするためのスポンサーキーワードをスポンサーが提供する。このスポンサーキーワードには、スポンサーの企業名称、商品名称、イベント名称等が用いられ、スポンサーによって任意に申請・登録される。これにより、スポンサーの協調と競争の場となるようにした。
【０１２１】
本実施形態８の構成は、上述した実施形態１〜７の構成と同じであるが、流行語投票管理手段、ポータル手段の機能に異なるところがあるので、相違点についてのみ説明する。
流行語投票管理手段１１の流行語候補開示手段１１２では、流行語候補のリストと、このリストの中から流行語候補に対するスポンサーキーワードを１つ以上入力できるＷｅｂページとして生成してスポンサーに開示する。このとき、スポンサーキーワードには投票ポイントも入力できるようにしておく。
【０１２２】
スポンサーから投票が送られてくると、投票登録手段１１３は送られてきたスポンサーキーワードと投票ポイントとを流行語候補ＤＢ１２のスポンサーキーワードテーブル１２４に格納する。このスポンサーキーワードテーブル１２４は、図２０に示すように、流行語候補の識別子（ＩＤ）、スポンサーキーワード、投票したスポンサーの識別子、このスポンサーキーワードに投票された投票ポイントの四つ組みからなっている。
このあと、１つの流行語候補に対応するスポンサーキーワードに投票された投票ポイントを合計して、流行語候補テーブル１２１の投票ポイントの合計へ加算する。
したがって、上述の実施形態では、流行語候補に対して投票ポイントを入力するようにしていたが、本実施形態８ではスポンサーキーワードに入力した投票ポイントの合計が流行語候補の投票ポイントとなる。
【０１２３】
図２１は、スポンサーがスポンサーキーワードによって流行語候補に投票した結果の例である。図２１の縦方向には流行語がリストされ、各流行語の全投票ポイント数が表示され、横方向には流行語に対応するスポンサーキーワードがリストされ、各スポンサーキーワードの全スポンサーの投票ポイントの合計が表示されている。
【０１２４】
例えば、第３位の流行語「デジタル地上波」の全スポンサーによる投票ポイントの合計は３２０であった。流行語「デジタル地上波」に付加される第１位のスポンサーキーワード「地上波キャンペーン」の全スポンサーによる投票ポイントの合計は１２０であった。このスポンサーキーワード「地上波キャンペーン」は、複数のスポンサーによる共同のイベントなので投票ポイントが多かった。
しかし、第２位のスポンサーキーワード「メトロポリタンＴＶ」の全スポンサーによる投票ポイントの合計は５０と少なかったが、これはスポンサーがメトロポリタンＴＶ単独であるためである。
【０１２５】
また、流行語取得手段１３２では、上述の実施形態と同様にして流行語を得票率や露出度によって選択する。この選択した流行語に付加されて登録されたスポンサーキーワードの中から、スポンサーキーワードの投票ポイントに対応した露出度で所定の件数（例えば、４件）を選択する。
または、投票ポイント順位に対して一定の露出度を決め(例えば、１位：５０％、２位：２０％、３位：１０％、４位：５％、…)ておき、その露出度に対応して例えば４件を選択する。後者では投票ポイント数ではなく順位に対応した露出度で表示されることになるのでスポンサー間の競争が強化される。
【０１２６】
さらに、ポータル手段１３では、流行語がユーザによってクリックされたときに、流行語とこの流行語に対応するスポンサーキーワードとを合わせて検索するようにする点が、上記の実施形態と異なる点である。
【０１２７】
＜実施形態９＞
【０１２８】
本実施形態９では、上述の実施形態１〜８においてスポンサーの行った流行語への投票行為に対して課金を行う。投票ポイントは、投票する権利であり、１ポイント単位で投票することができ、この投票ポイントに対して次のような２つの課金方法がある。
第一の方法は、予め投票ポイントを販売する方法である。第二の方法は、投票した投票ポイントを集計して一定期間(例えば１ヶ月)でまとめて請求する方法である。前者は、低額の投票ポイントを販売する場合、後者は、高額の投票ポイントを販売する場合に適している。もちろん両者を併合した形態での販売も可能である。
【０１２９】
本実施形態９の構成は、上述の実施形態１〜８の構成に対して、ポータルサイトにおいて課金手段を有する点が異なっている。この図２２では、課金に関連する部分の構成のみを示しており、上述の実施形態１〜８と同じものは省略している。
【０１３０】
課金手段１７は、スポンサーの識別子ごとに、次の３つのテーブルの投票ポイントの月間合計を計算する。
【０１３１】
（１）投票ポイントテーブル１２２において、同じスポンサーＩＤの投票ポイントの合計を計算する。
（２）自薦の流行語候補がある場合には、流行語候補テーブル１２１において、同じスポンサーＩＤの投票ポイントの合計を計算する。
（３）スポンサーキーワードがある場合には、スポンサーキーワードテーブル１２４において、同じスポンサーＩＤの投票ポイントの合計を計算する。
【０１３２】
課金手段は、スポンサー毎の月間投票ポイント集計を金額に換算し、各スポンサーに請求する。その後、請求に対して入金が行われたか確認を行う。
【０１３３】
＜実施形態１０＞
【０１３４】
流行を起こすためには、複数のスポンサーが特定の流行語候補へ集中的に投票することが好ましい。それを実現するために、本実施形態１０では、多くの投票ポイントがあった流行語候補のポイント単価のディスカウントを行う。
ポイント単価のディスカウントは、流行語候補にその時点でのポイント単価を付加して開示する。得票数とディスカウントしたポイント単価の関係が予めスポンサーに開示されている場合には、得票数を表示することで代用することができる。
【０１３５】
本実施形態１０の構成は、上記の実施形態９と同じであるから、以下では相違点についてのみ説明する。
スポンサーに流行語候補のリストを開示するときに、流行語候補開示手段１１２により流行語候補にポイント単価を付加したリストとして開示する。第一回の開示では、ポイント単価はディスカウントされていない初期値が開示される。第二回以後の開示では、投票ポイントに応じて再算出されたポイント単価が開示される。
【０１３６】
スポンサーによる投票が行われると、投票ポイント集計手段１１４は、流行語候補毎に集計された投票ポイントの合計に基づき流行語候補毎のポイント単価を再算出して、流行語候補テーブル１２１の該当する流行語候補に対応させて記憶する。この集計は、スポンサーによる投票が行われている間繰返し行われ、投票ポイントが多いほどポイント単価が低くなる。
【０１３７】
＜実施形態１１＞
【０１３８】
本発明においては、流行語のクリックがスポンサーコンテンツの表示を保障しないが、それでもスポンサーにとっては流行語の露出に対する課金よりも流行語へのクリックに対する課金の方が広告効果の評価として好ましい。
本実施形態１１では、上記の実施形態９の構成において、ユーザが流行語をクリックした回数に応じた単価で課金を行う。
【０１３９】
ユーザがポータルページの表示を要求し、表示されたポータルページの流行語をクリックすると、ポータル手段１３に流行語をキーワードとする検索を要求する。
ポータル手段１３では、ユーザから検索要求に対して、送られてきた流行語ごとにクリック数をカウントして、流行語候補テーブル１２１に記録する。
【０１４０】
課金手段１７では、スポンサーが投票した流行語に対して、投票ポイント合計とクリック数に比例した課金を行い、スポンサーが複数の流行語に投票した場合にはそれらの総和をとる。例えば、スポンサーが流行語Ａへの投票を行った場合の最も単純な算出式の例を示す。このポイント単価は、プロバイダーが決めるもので、すべての流行語に共通の値である。
[流行語Ａの課金額] = [流行語Ａのクリック数]×[クリック単価]
[クリック単価] = [流行語Ａへの投票ポイント]×[ポイント単価]
【０１４１】
＜実施形態１２＞
【０１４２】
上述の実施形態１０では、集中的に投票があった流行語候補に対してポイント単価のディスカウントを行った。本実施形態１２では、上記の実施形態１１の流行語へのクリック数が多いほどポイント単価が低くなるようにポイント単価を算出することにより同様の効果が期待できる。
このため、課金手段１７では、投票ポイント集計手段１１４の投票ポイント集計からのデータとポータル手段１３のクリック数カウントに基づいて、各流行語のクリック単価を算出する。この算出式の最も単純な例を次に示す。
【０１４３】
(i) クリック数が基本クリック数より小さい場合：
[ポイント単価] = [基本ポイント単価]
(ii) クリック数が基本クリック数より大きい場合：
[ポイント単価] = [基本ポイント単価]×√([基本クリック数] / [クリック数])
【０１４４】
課金手段１７は、スポンサーが投票した流行語に対して、クリック数と投票ポイント、および上記のポイント単価により課金額を計算し、スポンサーが複数の流行語に投票した場合はそれらの総和をとる。スポンサーが流行語Ａへ投票を行った場合の算出式の最も単純な例を次に示す。
[流行語Ａの課金額] = [流行語Ａのクリック数]×[流行語Ａへの投票ポイント]
×[ポイント単価]
【０１４５】
＜実施形態１３＞
【０１４６】
上記の実施形態１〜１２では、流行語の創出に関するもので、それは商業的価値の高いものであったが、流行語創出と広告とを結び付けてより商業的価値を高めるようにしてもよい。
広告としては、スポンサーの広告コンテンツを表示する方法と、検索結果にスポンサーページを優先的に表示する方法があり、いずれも流行語に関連の高いものが表示される。
【０１４７】
本実施形態１３においては、個々の流行語へのスポンサーの投票ポイントに対応した露出度でスポンサーの広告コンテンツを表示する。また、課金は投票ポイントに対して行われるが、同時にスポンサー広告コンテンツ表示に対して行われていることになる。
【０１４８】
本実施形態１３の構成は、上記の実施形態１〜１２と同様であるが、ポータルサイトの流行語投票管理手段とサーチエンジン手段の機能に追加機能があるので、この追加機能について以下に説明する。
スポンサーが流行語に投票を行う際に、同時に広告コンテンツを申請・登録する。
流行語投票管理手段１１の投票登録手段１１３は、投票ポイントテーブル１２２にスポンサーの投票した流行語候補の識別子、スポンサーの識別子、投票ポイントおよび申請された広告コンテンツを記録する。
【０１４９】
サーチエンジン手段１４では、ユーザから指示された流行語（キーワード）で検索を行い、流行語に対応した広告コンテンツから表示する広告コンテンツを選択し、検索結果のコンテンツまたはコンテンツのリストとともにユーザへ転送する。
ここで、広告コンテンツの選択の方法は、流行語について登録された広告コンテンツ毎に投票ポイントを集計し、その広告コンテンツの投票ポイントに対応した露出度になるように広告コンテンツを選択する。
【０１５０】
＜実施形態１４＞
【０１５１】
本実施形態１４では、個々の流行語へのスポンサーの投票ポイントに対応した露出度でスポンサーの広告コンテンツを表示するようにし、課金は投票ポイントと広告クリック単価を連動して行う。
【０１５２】
本実施形態１４の構成は、上述の実施形態１３と同様であるが、ポータルサイトのサーチエンジン手段と課金手段の機能に追加機能があるので、この追加機能について以下に説明する。
【０１５３】
サーチエンジン手段１４では、検索結果と広告コンテンツを転送した後、ユーザが表示された広告コンテンツをクリックした回数をカウントして、広告コンテンツと対応付けてクリック数を投票ポイントテーブル１２２に記録する。
ここで、投票ポイントテーブル１２２には、流行語候補の識別子、スポンサーの識別子、投票ポイント、広告コンテンツ、広告コンテンツのクリック数等を記録する。
【０１５４】
課金手段１７は、スポンサーが投票した流行語への投票ポイントと広告コンテンツへのクリック数に基づいて課金額を計算し、スポンサーが複数の流行語に投票した場合はそれらの総和をとる。クリック単価が常にポイント単価と等しく、スポンサーが流行語Ａへ投票を行い、流行語Ａに対応して登録した広告コンテンツaにクリックがあった場合の算出式の最も単純な例を次に示す。
[流行語Ａの課金額] = [クリック単価] × [広告コンテンツaへのクリック数]
[クリック単価] = [流行語Ａへの投票ポイント]×[ポイント単価]
【０１５５】
＜実施形態１５＞
【０１５６】
流行語の創出は、商業的価値に結び付くものであるが、流行語のクリックの検索結果がスポンサーページであればより大きな効果がある。
本実施形態１５では、投票ポイントと検索結果ランキングを連動して課金を行うものである。
本実施形態１５の構成は、上述の実施形態１〜１２と同様であるが、ポータルサイトの流行語投票管理手段とサーチエンジン手段の機能に追加機能があるので、この追加機能について以下に説明する。
【０１５７】
スポンサーが流行語に投票を行う際に、同時にスポンサーページを申請・登録する。
流行語投票管理手段１１の投票登録手段１１３は、投票ポイントテーブル１２２にスポンサーの投票した流行語候補の識別子、スポンサーの識別子、投票ポイントおよび申請されたスポンサーページを記録する。
【０１５８】
サーチエンジン手段１４では、ユーザから指示された流行語（キーワード）で検索を行い、流行語に対応したスポンサーページから表示するスポンサーページを選択し、検索結果のコンテンツまたはコンテンツのリストとともにユーザへ転送する。
ここで、スポンサーページの選択の方法は、流行語について登録されたスポンサーページ毎に投票ポイントを集計し、そのスポンサーページの投票ポイントに対応した露出度になるようにスポンサーページを選択する。スポンサーページは、通常、そのタイトル、アブストラクトとＵＲＬが検索結果リストに表示される。検索結果リストの上位に表示されるようにするとより効果は大きい。
【０１５９】
＜実施形態１６＞
【０１６０】
本実施形態１６では、流行語のクリックをスポンサーページに直接結び付け、課金は投票ポイントと検索結果リスト中のスポンサーページクリック単価と連動して行う。
【０１６１】
本実施形態１６の構成は、上述の実施形態１５と同様であるが、ポータルサイトのサーチエンジン手段と課金手段の機能に追加機能があるので、この追加機能について以下に説明する。
【０１６２】
サーチエンジン手段１４では、検索結果とスポンサーページを転送した後、ユーザが表示されたスポンサーページをクリックした回数をカウントして、スポンサーページと対応付けてクリック数を投票ポイントテーブル１２２に記録する。
ここで、投票ポイントテーブル１２２には、流行語候補の識別子、スポンサーの識別子、投票ポイント、スポンサーページ、スポンサーページのクリック数等を記録する。
【０１６３】
課金手段１７は、スポンサーが投票した流行語への投票ポイントと広告コンテンツへのクリック数に基づいて課金額を計算し、スポンサーが複数の流行語に投票した場合はそれらの総和をとる。クリック単価が常にポイント単価と等しく、スポンサーが流行語Ａへ投票を行い、流行語Ａに対応して登録した広告コンテンツaにクリックがあった場合の算出式の最も単純な例を次に示す。
[流行語Ａの課金額] = [クリック単価] × [スポンサーページaへのクリック数]
[クリック単価] = [流行語Ａへの投票ポイント]×[ポイント単価]
【０１６４】
＜その他の実施形態＞
【０１６５】
本発明は、上述した実施形態のみに限定されたものではない。上述した実施形態を構成する各機能をそれぞれプログラム化して、予め記録媒体に書き込んでおき、この記録媒体に記録されたこれらのプログラムをコンピュータに備えられたメモリあるいは記憶装置に格納し、そのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【０１６６】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納されたプログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【０１６７】
【図１】本実施形態に係る流行創出型広告システムの基本構成を示すブロック図である。
【図２】本実施形態に係る流行創出型広告システムにおける各サイトの役割を説明するための図である。
【図３】実施形態１に係るポータルサイトの機能構成を示すブロック図である。
【図４】実施形態１に係る流行語投票管理手段の機能構成を示すブロック図である。
【図５】実施形態１に係る流行語候補データベースのデータ構造例である。
【図６】実施形態１に係るポータル手段の機能構成を示すブロック図である。
【図７】流行語リストの表示例である。
【図８】実施形態１に係るポータル手段の他の機能構成を示すブロック図である。
【図９】実施形態１に係るポータル手段の他の機能構成を示すブロック図である。
【図１０】実施形態２に係る流行語投票管理手段の機能構成を示すブロック図である。
【図１１】実施形態３に係る流行語投票管理手段の機能構成を示すブロック図である。
【図１２】実施形態３に係る流行語候補テーブルのデータ構造例である。
【図１３】実施形態４における流行語投票テーブルの例である。
【図１４】実施形態４における流行語投票テーブルの他の例である。
【図１５】実施形態５に係るポータル手段の機能構成を示すブロック図である。
【図１６】パーソナライズド流行語を表示した例である。
【図１７】流行語に隣接してクリックカウンタを表示した例である。
【図１８】カテゴリ分けされた流行語リストを表示した例である。
【図１９】補助キーワードテーブルのデータ構造例である。
【図２０】スポンサーキーワードテーブルのデータ構造例である。
【図２１】スポンサーが投票した結果を示す例である。
【図２２】実施形態９に係るポータルサイトの機能構成（実施形態１〜８と同じ機能構成は省いてある）を示すブロック図である。
【符号の説明】
【０１６８】
１０…ポータルサイト、１１…流行語投票管理手段、１１１…流行語候補登録手段、１１２…流行語候補開示手段、１１３…投票登録手段、１１４…投票ポイント集計手段、１１５…流行語候補抽出手段、１１６…流行語候補収集手段、１１７…キーワード累積ファイル、１１８…流行語候補選定手段、１２…流行語候補ＤＢ、１２１…流行語候補テーブル、１２２…投票ポイントテーブル、１２３…補助キーワードテーブル、１２４…スポンサーキーワードテーブル、１３…ポータル手段、１３１…ポータルページ転送手段、１３２…流行語取得手段、１３３…サーチエンジン起動手段、１３４…サーチ結果転送手段、１３５…流行語検索手段、１３６…流行語検索結果ＤＢ、１３７…流行語サーチ結果転送手段、１４…サーチエンジン手段、１５…ユーザ関心情報取得手段、１６…ユーザ関心情報ＤＢ、１７…課金手段、２０…スポンサーサイト、３０…ユーザサイト、４０…ネットワーク。
【図１】
2006293920.tif 000003
【図２】
2006293920.tif 000004
【図３】
2006293920.tif 000005
【図４】
2006293920.tif 000006
【図５】
2006293920.tif 000007
【図６】
2006293920.tif 000008
【図７】
2006293920.tif 000009
【図８】
2006293920.tif 000010
【図９】
2006293920.tif 000011
【図１０】
2006293920.tif 000012
【図１１】
2006293920.tif 000013
【図１２】
2006293920.tif 000014
【図１３】
2006293920.tif 000015
【図１４】
2006293920.tif 000016
【図１５】
2006293920.tif 000017
【図１６】
2006293920.tif 000018
【図１７】
2006293920.tif 000019
【図１８】
2006293920.tif 000020
【図１９】
2006293920.tif 000021
【図２０】
2006293920.tif 000022
【図２１】
2006293920.tif 000023
【図２２】
2006293920.tif 000024